(57)【要約】【課題】  容器表面から滴下する水滴による容器底面との密着を防止し、且つ、上面の装飾を嗜好に応じて種々交換して容易に変更可能な装飾性に優れたコースターを提供する。【解決手段】  厚み方向に貫通する一又は複数の切欠き４が形成され、当該切欠き４が平面視で文字、数字、所定の模様の形状又はこれらを混合した形状で切り欠かれている上板部２と、凹状に形成され、当該凹状に前記上板部２を着脱可能に収容して重ね合わせる下板部３とからなり、種々の形状で切り欠かれて装飾された上板部２を複数枚用意し、嗜好に応じてそのいずれかを選択して下板部３に収容交換することで、上面の装飾を種々変更可能とする。【選択図】図１
0003212045.tif 000002
【実用新案登録請求の範囲】
【請求項１】
飲料を注いだ容器の下方に敷くコースターであって、
厚み方向に貫通する一又は複数の切欠きが形成され、当該切欠きが平面視で文字、数字、所定の模様の形状又はこれらを混合した形状で切り欠かれている上板部と、
当該上板部と着脱可能に重なり合う下板部とからなることを特徴とするコースター。
【請求項２】
前記上板部は、前記切欠きが平面視で文字、数字、所定の模様の形状又はこれらを混合した形状のいずれかで切り欠かれている複数枚の上板部で構成され、当該種々の形状で切り欠かれた複数枚の上板部のいずれかを選択して前記下板部と着脱可能に重なり合い、当該上板部を交換可能としたことを特徴とする請求項１に記載のコースター。
【請求項３】
前記下板部は、前記上板部よりも柔軟な素材で形成されていることを特徴とする請求項１又は２のいずれかに記載のコースター。
【請求項４】
前記上板部及び下板部の間に、白色シート又は有色シートを挟み込んだことを特徴とする請求項１乃至３のいずれかに記載のコースター。
【請求項５】
前記上板部及び下板部を別の色で構成してなることを特徴とする請求項１乃至４のいずれかに記載のコースター。
【請求項６】
前記複数の切欠き４に対応する白色シート又は有色シート或いは前記下板部の前記上板部と対向する表面箇所に、別個の配色をしてなることを特徴とする請求項１乃至５のいずれかに記載のコースター。
【考案の詳細な説明】
【技術分野】
【０００１】
本考案は、容器表面から滴下する水滴による容器底面との密着を防止し、且つ、上面の装飾を嗜好に応じて容易に種々変更可能な装飾性に優れたコースターに関する。
【背景技術】
【０００２】
従来、冷たい飲料を注いだコップやグラス等の容器をテーブル等に載置する際、その容器の下方に敷くコースターとして、幾何学模様、文字又は数字等の模様やキャラクターの図柄がデザインされた種々の装飾性に富んだコースターが一般的に提供されている。このような従来一般的なコースターは、その上面に載置された容器を持ち上げようとすると、容器表面で結露した水滴によってその上面が当該容器の底面と密着し、容器と一緒に持ち上がってくるという問題があった。
【０００３】
このような問題に対して、例えば、上板と当該上板に対向する下板の両方に、夫々上部磁石と下部磁石を同一極が対向するように取り付けるとともに、上板の周縁部を下板に貼り合わせることにより、飲用容器が前記上板に載っていない状態では、前記磁石の反発力により前記上板の前記上部磁石の取り付け箇所が上方に撓むため、上板に載せた飲用容器を持ち上げると飲用容器の底部に対して上板の一部が離れ、飲用容器の底面がその表面に貼り付くのを防止することのできるコースターが提供されている（特許文献１）。
【０００４】
また、コースターの上面部材と下面部材が分離可能に結合され、当該上面部材がメッシュ構造の平面形状であり、前記下面部材が略凹状の器形状に形成されて、当該凹状内に給水シートを配置することにより、コースターの上に水滴を溜めることなく、容器の水滴による容器とコースターとの密着作用を防止することのできるコースターが提供されている（特許文献２）。
【先行技術文献】
【特許文献】
【０００５】
【特許文献１】実用新案登録第３２０２００３号公報
【特許文献２】実用新案登録第３１２８７８２号公報
【考案の概要】
【考案が解決しようとする課題】
【０００６】
しかしながら、特許文献１に記載のコースターは、水滴による容器底面とコースター上面の密着を防止できるものの、上板及び下板の夫々に磁石を内蔵させることにより、材料コストと製造コストが増すため、コースターにしては価格に割高になるという問題があり、また、上板の周縁部を下板に貼り付けてしまうため、その上面の装飾を嗜好に応じて容易には種々変更することができないという問題があった。
【０００７】
また、特許文献２に記載のコースターも、上面部材がメッシュ構造で形成されているため際立った装飾性はなく、また、上部部材の上面の装飾を嗜好に応じて種々変更可能にすることまでは提供されてはいないという問題があった。
【０００８】
そこで、本考案は、容器表面から滴下する水滴による容器底面との密着を防止し、且つ、上面の装飾を嗜好に応じて種々交換して容易に変更可能な装飾性に優れたコースターを提供することを課題とした。
【課題を解決するための手段】
【０００９】
上記課題を解決するために、本考案は次のように構成した。すなわち、本考案に係る請求項１に記載のコースターは、飲料を注いだ容器の下方に敷くコースターであって、厚み方向に貫通する一又は複数の切欠きが形成され、当該切欠きが平面視で文字、数字、所定の模様の形状又はこれらを混合した形状で切り欠かれている上板部と、前記上板部と着脱可能に重なり合う下板部とからなることを特徴としている。
【００１０】
また、請求項２に記載のコースターは、前記上板部が、前記切欠きが平面視で文字、数字、所定の模様の形状又はこれらを混合した形状のいずれかで切り欠かれている複数枚の上板部で構成され、当該種々の形状で切り欠かれた複数枚の上板部のいずれかを選択して前記下板部と着脱可能に重なり合い、当該上板部を交換可能としたことを特徴としている。
【００１１】
また、請求項３に記載のコースターは、下板部が前記上板部よりも柔軟な素材で形成されていることを特徴としている。
【００１２】
また、請求項４に記載のコースターは、前記上板部及び前記下板部の間に、白色シート又は有色シートを挟み込んだことを特徴としている。
【００１３】
また、前記請求項５に記載のコースターは、前記上板部及び下板部を別の色で構成してなることを特徴としている。
【００１４】
さらに、前記請求項６に記載のコースターは、前記複数の切欠き４に対応する白色シート又は有色シート或いは前記下板部の前記上板部に対向する表面箇所に、別個の配色をしてなることを特徴としている。
【考案の効果】
【００１５】
本考案に係る請求項１に記載のコースターによれば、容器表面で結露した水滴が前記上板部に形成された一又は複数の切欠きから下方の下板部に流れ落ちるため、容器の底面が上板部の上面に密着せず、容器を持ち上げる際にコースターが一緒に持ち上がるのを防止することができる。また、当該コースターは、当該上板部に形成された一又は複数の切欠きが文字、数字、所定の模様の形状又はこれらの混合の形状で形成されているため、種々の形状の切欠きによって装飾された上板部を下板部と重ね合わせれば、嗜好に応じた装飾で利用できる。
【００１６】
また、請求項２に記載のコースターによれば、前記種々の形状で切り欠かれた複数枚の上板部を構成したことにより、当該複数枚の上板部のうち嗜好に応じた形状で切り欠かれた上板部を下板部と重ね合わせることにより、その時々の嗜好に応じて種々の形状で切り欠かれた上板部を交換し、その時々でコースターの装飾を楽しむことができる。
【００１７】
また、請求項３に記載のコースターによれば、前記下板部が上板部よりも柔軟な素材で形成されていることにより、下板部を撓ませながら上板部を嵌め込んだりして容易に重ね合わせることができ、また、コースターをテーブル等に載置した際、テーブルの上面に接する下板部の底面を滑りにくくすることができる。
【００１８】
また、請求項４又は請求項５に記載のコースターによれば、上板部と下板部の間に白色シート又は有色シートを挟み込んだことにより、または、上板部と下板部を別の色で構成したことにより、上板部の色とのコントラストで前記種々の切欠きがデザインとして浮かび上がり、より装飾的なコースターを楽しんで利用することができる。
【００１９】
さらに、請求項６に記載のコースターによれば、前記複数の切欠きに対応する表面箇所に別個の配色をすることにより、各切欠きから様々な色でデザインが浮かび上がり、装飾のバリエーションを楽しむことができる。
【図面の簡単な説明】
【００２０】
【図１】本考案に係るコースターの構造を示す斜視図である。
【図２】その他切欠きの形状を示す上板部の平面図である。
【図３】その他実施例のコースターの構造を示す斜視図である。
【考案を実施するための形態】
【００２１】
以下、図面に基づいて本考案を具体的に説明する。まず、図１は、本考案に係るコースター１の構造を示す斜視図である。当該コースター１は、基本的には、上板部２と、当該上板部２を収容して重ね合わせる下板部３とから構成され、当該上板部には、厚み方向に貫通する一又は複数の切欠き４が形成されている。
【００２２】
前記上板部２は、平面視略四角形の板状であって、その上面にコップやグラス等の容器を載置可能なサイズで、エラストマーを素材として形成されている。また、上板部２は、厚み方向に貫通する複数の切欠き４が形成され、当該切欠き４が平面視で種々の数字の形状になるように当該上板部２に程よい距離間隔で切り欠かれている。ここで、当該程よい距離間隔は、冷たい飲料を注いだ容器表面で結露した水滴が当該切欠き４から下方へと流れ落ちる量と上面部２の表面の装飾性とのバランスを考慮したものであり、例えば、当該間隔が大きければ装飾用の切欠き４の面積が少なくなる一方、水滴が切欠き４から落ちる量が少なくなり、逆に、切欠き４の面積が大きければ水滴が落ちる量が多くなるが、切欠き４ばかりでは装飾性が低下し、さらには、強度の低下という問題も生じる。そのため、当該複数の切欠き４は、上記を考慮し、上板部２にバランスよく配置するのがよい。
【００２３】
なお、当該切欠き４は、複数だけでなく、装飾性に富んだものであれば一つの切欠き４を形成してもよく、また、図２にも示すように、切欠き４の形状は、平面視で、数字のほか、カタナカ、平仮名、アルファベット、その他の各種文字の形状で形成してもよく、他にも、平面視で動物、日用品、幾何学模様、キャラクター等の所定の模様となる形状、さらには、これらの数字、文字や所定の模様を混合した形状で形成することもできる。
【００２４】
また、例えば、図１或いは図２（ａ）又は（ｂ）の上板部２に示したように、数字やアルファベット等の文字等の形状で切欠き４を形成することにより、または、図２（ｃ）のように動物の形状で切欠き４を形成することにより、当該文字や動物が何か、或いは、その他図形で切欠き４を形成した場合には当該図形が何かというクイズ形式の幼児教育に利用することも可能である。また、図２（ｄ）のように、種々ある物語のシーンの一部を切り取った模様の形状で切欠き４を形成したり、当該物語の一連のシーンを夫々切り取って複数枚の上板部２に表現するように夫々切欠き４を形成したり、或いは、例えば、桃太郎の物語であれば、「猿」「キジ」「犬」のように、観念的に統一感のあるデザインを複数枚の上板部２に表現するように夫々切欠き４を形成したりして、これら複数枚の上板部２を交換するようにしたり、複数枚のコースター１を観念的一体のものとして装飾を楽しむこともできる。
【００２５】
前記下板部３は、平面視略四角形の板状であって、その周縁が鉛直方向に突出した凹状で、エラストマーを素材として形成されている。当該凹状の内側は、前記上板部２の厚み及び幅方向のサイズに対応し、当該上板部２を嵌め込んで収容可能なサイズで形成されている。また、当該下板部３は、前記上板部２よりも柔軟なエラストマーで形成されており、下板部３を撓めてその凹状の内側に上板部２を嵌め込みやすくしたり、テーブル等に載置した際に下板部３の底面を滑りにくくしたりしている。
【００２６】
当該下板部３の凹状に上板部２を収容したコースター１は、冷たい飲料を注いだ容器を載置した際、前記上板部２の切欠き４から下方の下板部３に水滴が流れ落ちるため、容器の底面が上板部２の上面に密着せず、容器を持ち上げる際にコースター１が一緒に持ち上がるのを防止することができ、また、当該上板部２に形成された切欠き４が文字、数字、所定の模様の形状又はこれらの混合の形状で形成されているため、種々の形状の切欠き４によって装飾された上板部３を凹状の下板部に収容して重ね合わせれば、嗜好に応じた装飾で利用できる。
【００２７】
また、前記切欠き４が平面視で文字、数字、所定の模様の形状又はこれらを混合した形状のいずれかで切り欠かれている上板部２を複数枚用意すれば、そのいずれかを選択して前記下板部３の凹状に着脱可能に収容することができ、その時々の嗜好に応じて種々の形状で切り欠かれた上板部２を交換し、その時々でコースター１の装飾を変更して楽しむことができる。
【００２８】
図３は、他の実施例のコースター１の構造を示す斜視図である。当該コースターは、前記実施例の上板部２及び下板部３の間に白色シート又は有色シート５を挟み込んで構成されている。なお、本実施例では、有色シート５を挟み込むものとする。白色シート及び有色シート５のいずれを挟み込むかは、上板部２の色に応じて決定すればよく、例えば、上板部２が黒色や濃色であれば、白色シートを挟み込んだり、有色シート５であっても淡色のものを挟み込んだりすればよい。逆に、上板部２が白色であれば、有色シート５を挟み込めばよい。なお、当該白色シート又は有色シート５の素材は特に限定されるものではなく、紙や合成樹脂シート等であってもよく、また、吸水性に優れた吸水シートであってもよい。
【００２９】
このように、上板部２及び下板部３の間に白色シート又は有色シート５を挟み込むことにより、上板部２の色とのコントラストで前記種々の切欠き４がデザインとして浮かび上がり、より装飾的なコースター１を楽しむことができる。
【００３０】
また、このような色のコントラストによるコースター１の装飾は、前記白色シート又は有色シート５を挟み込んでもよいが、上板部２と下板部３を別の色で構成しても実現可能である。例えば、上板部２を白色又は淡色にした場合は、下板部３を黒色又は濃色にしたり、またはその逆に配色したりすることも可能であり、前記平面視でコントラストを出すことができる範囲で上板部２及び下板部３に着色してもよい。
【００３１】
さらには、前記複数の切欠き４に対応する下板部３の凹状の表面箇所に、夫々別個に着色することも可能である。例えば、図１に示すコースター１であれば、数字の「１」に対応する下板部３の凹状の表面箇所には「青」、数字の「７」に対応する箇所には「黄色」のように、各数字に対応する箇所に別個の配色をすることにより、装飾のバリエーションを楽しむこともできる。このような装飾のバリエーションは、前記白色シート又は有色シート５においても、切欠き４に対応する各シートの箇所に別個の着色をすることにより実現可能である。
【００３２】
なお、前記各実施例において、コースター１の形状を略四角形としたが、その他多角形、丸型、星形等の種々の形状で形成してもよい。
【００３３】
また、前記上板部２及び下板部３の素材はエラストマーに限られず、紙や皮革等で形成することも可能であり、上板部２よりも柔軟な素材で下板部を構成できれば、上板部２と下板部３を別種の素材で形成してもよい。
【００３４】
また、本実施例においては、下板部３を凹状に形成し、その凹状に上板部２を収容して重ね合わせたが、上板部２を下板部３に重ね合わせる構成は、これによるものに限られず、その他、上板部２の切欠き４から下板部３の表面或いは白色シート又は有色シートの表面が露出するように重ね合わせることができればどのようなものであってもよい。
【符号の説明】
【００３５】
１    コースター
２    上板部
３    切欠き
４    下板部
５    有色シート
【図１】
0003212045.tif 000003
【図２】
0003212045.tif 000004
【図３】
0003212045.tif 000005